(57)【特許請求の範囲】
【請求項１】
空気が表面を流れ、前記空気が流入する複数の通孔が形成されたガスタービンの燃焼ダクトと、
水平面に対して上向きに傾斜した上面と、前記上面の縁部のうち前記空気が入り込む入口側の縁部を除く残りの縁部に沿って下方に延設された壁面と、を有する複数の空気誘導キャップと、
を備え、前記複数の空気誘導キャップのうち一つの空気誘導キャップが前記複数の通孔のうち一つの通孔を囲繞するように前記燃焼ダクトの上に結合され、
前記空気の流れに沿う方向に配列された複数の空気誘導キャップは、前記空気の流れの下流に進むにつれてその高さが大きくなる、燃焼ダクト。
【請求項２】
前記燃焼ダクトは、スリーブである請求項１に記載の燃焼ダクト。
【請求項３】
前記上面の入口の反対側の背面の縁部は、円弧をなす請求項１または２に記載の燃焼ダクト。
【請求項４】
前記上面の入口の反対側の背面の縁部は、半円をなす請求項３に記載の燃焼ダクト。
【請求項５】
前記上面の入口側の縁部の両端から延びる前記壁面の縁部は、外側に向かって傾斜するように形成される請求項１から４のいずれか一項に記載の燃焼ダクト。
【請求項６】
前記上面の水平面に対する正射影内に前記通孔が収容される大きさに前記上面が形成される請求項１から５のいずれか一項に記載の燃焼ダクト。
【請求項７】
前記壁面の入口の反対側の背面の縁部から下方に延設されて前記通孔に嵌め込まれる突出部材をさらに備える請求項１から６のいずれか一項に記載の燃焼ダクト。
【請求項８】
前記突出部材は、前記通孔の内周面に密着される請求項７に記載の燃焼ダクト。
【請求項９】
前記突出部材は、パイプ又はパイプの一部を切り欠いた形状である請求項７または８に記載の燃焼ダクト。
【発明の詳細な説明】
【技術分野】
【０００１】
本発明は、空気の流れを燃焼ダクトの通孔に導くための空気誘導キャップに係り、さらに詳しくは、空気の入口部を上向きに傾斜するように長くすることにより、冷却空気の流量を十分に確保し、空気の流れを通孔を貫通する垂直方向に導き易いだけではなく、通孔の入口領域において乱流が発生し難いことから安定的な空気の流れを形成することのできる空気誘導キャップに関する。
【背景技術】
【０００２】
ガスタービンは、高温・高圧の燃焼ガスを用いてタービンを稼動させる回転型熱機関である。一般に、ガスタービンは、圧縮機、燃焼機及びタービンを備え、圧縮機において圧縮された空気が燃料と混合されて燃焼されることにより膨張する高温の燃焼ガスが生成され、この燃焼ガスの力を用いてタービンを回転させることにより動力を得ることになる。
【０００３】
燃焼機において生成された高温の燃焼ガスをタービンまで伝達するためにはダクト構造物が必要であるが、このようなダクト構造物は燃焼ダクト組立体とも呼ばれる。燃焼ダクト組立体は、通常、燃焼機と隣り合うライナーと、前記ライナーと連結されるトランジションピース及びこれらを囲繞するスリーブを備える。
【０００４】
燃焼ダクト組立体６の一実施形態について図１を参照してより具体的に説明すると、ライナー２の上流側には燃焼機１が配置されるが、トランジションピース３と連結されるライナー２の下流側の外面には外側に凸状に湾曲した環状のスプリングシール５が取り付けられている。この環状のスプリングシール５は、普通、フラシール（ｈｕｌａ ｓｅａｌ）とも呼ばれる。また、トランジションピース３は、ライナー２の下流側に取り付けられたスプリングシール５の凸状部と弾力的に接触する内壁と、前記内壁を囲繞する外壁の二重管構造を有する。このため、ライナー２及びトランジションピース３は、たとえ高温の燃焼ガスによる熱変形が生じてもスプリングシール５の弾性を媒介として互いにスライドしながらこれを収容できるように連結される。
【０００５】
ところが、燃焼ダクト組立体６は、高温の燃焼ガスが流れる通路であるため、適切な冷却が求められる。このために、圧縮機（図示せず）において高圧で圧縮された空気の一部をガスタービンのハウジング内に充填し、トランジションピース３の外壁及びライナー２を囲繞するスリーブ４に多数の通孔７を穿孔して圧縮空気がスリーブ４の外面からトランジションピース３に向かって流入するようにしている。スリーブ４の内側に流入した空気は、燃焼機１に向かって上昇しながらトランジションピース３及びライナー２を冷却させ、最終的には燃焼機１内に入り込んで燃料と混ざって燃焼される。
【０００６】
このような圧縮空気が高温のライナー２及びトランジションピース３を適切に冷却させるためには、優先的に、スリーブ４に形成された通孔７を介してできる限り多量の空気が流入できなければならない。このために、スリーブ４の通孔７の周りには、空気の流れを通孔７内に導くための各種の部材が設けられる場合もある。
【０００７】
特許文献１には、このような空気誘導手段として、スクープ８が開示されている。スクープ８は、その形状がアイスクリームをすくい取る一種のしゃくしのような形状をしているところから名付けられたが、半球を半分に切った後、再び半分に切った１／４球状殻の形状を呈している。スクープ８の直径はスリーブ４の通孔７のそれよりもやや大きく、このようなスクープ８を通孔７の周りに沿って貼着して約半分を囲繞するようにすれば、通孔７の周りを通る空気がスクープ８に捕捉されて通孔７内に入り込む。このため、スクープ８は、スリーブ４内に入り込む空気量を増大させる機能を有する。
【０００８】
しかしながら、図２に示すような形状を有するスクープによる空気の流入量の増加効果は限界に達しており、ガスタービンの出力の増加とあいまって高まりつつある燃焼発熱量に堪えられないが故に、これに対する改善措置が講じられる必要があるのが現状である。
【先行技術文献】
【特許文献】
【０００９】
【特許文献１】米国登録特許第６，４９４，０４４号（２００２年１２月１７日付けで登録）
【発明の概要】
【発明が解決しようとする課題】
【００１０】
本発明は、スリーブに形成された通孔内に入り込む圧縮空気の流入量を増大させることのできる新規な形状の空気誘導キャップを提供することにその目的がある。
【課題を解決するための手段】
【００１１】
本発明は、空気の流れを底面側の通孔に導くための空気誘導キャップであって、水平面に対して上向きに傾斜した上面と、前記上面の縁部のうち前記空気が入り込む入口側の縁部を除く残りの縁部に沿って下方に延設された壁面と、を備える。
【００１２】
本発明の一実施形態によれば、前記上面の入口の反対側の背面の縁部は、円弧、例えば、半円をなす。
【００１３】
また、前記上面の入口側の縁部の両端から延びる前記壁面の縁部は、外側に向かって傾斜するように形成されてもよい。
【００１４】
ここで、前記上面の水平面に対する正射影内に前記通孔が収容される大きさに前記上面が形成されることが好ましい。
【００１５】
さらに、本発明の実施形態によっては、前記壁面の入口の反対側の背面の縁部から下方に延設されて前記通孔に嵌め込まれる突出部材をさらに備えていてもよい。
【００１６】
前記突出部材は、前記通孔の内周面に密着されてもよく、このために、前記突出部材は、パイプ又はパイプの一部を切り欠いた形状であってもよい。
【００１７】
一方、本発明による空気誘導キャップを備える燃焼ダクトは、空気が表面を流れ、前記空気が流入する複数の通孔が形成されたガスタービンの燃焼ダクトと、水平面に対して上向きに傾斜した上面と、前記上面の縁部のうち前記空気が入り込む入口側の縁部を除く残りの縁部に沿って下方に延設された壁面と、を有する複数の空気誘導キャップと、を備え、一つの前記空気誘導キャップが一つの前記通孔を囲繞するように前記燃焼ダクトの上に結合される。
【００１８】
ここで、前記空気の流れに沿う方向に配列された複数の空気誘導キャップは、前記空気の流れの下流に進むにつれてその高さが大きくなるように作製されてもよい。
【００１９】
本発明の一実施形態によれば、前記燃焼ダクトはスリーブであってもよい。
【発明の効果】
【００２０】
上述したような構成を有する本発明の空気誘導キャップは、空気の入口部が上向きに傾斜していることから、入口の断面積が増加して冷却空気の流量の確保が有利となり、上面が通孔を向く方向に傾斜していることから、空気の流れを通孔を貫通する垂直方向に導き易いというメリットを有する。
【００２１】
また、本発明は、空気誘導キャップの上面が通孔を全て覆う程度に長く形成されていることから、従来のスクープとは異なり通孔の入口領域において乱流が発生し難いので、安定的な空気の流れが形成可能であるという効果を有する。
【００２２】
さらに、本発明の空気誘導キャップは、通孔に嵌め込まれる突出部材をさらに備えて空気誘導キャップを通孔に対して正確に位置を合わせて結合するとともに、垂直方向の空気の流れを燃焼ダクトの奥側まで案内することが可能である。
【００２３】
さらにまた、本発明は、複数の空気誘導キャップを燃焼ダクトに配置するに当たって、空気の流れに沿う方向に配列された複数の空気誘導キャップが空気の流れの下流に進むにつれてその高さが大きくなるようにすることにより、燃焼ダクトの全体に亘って満遍なく均一な冷却効果を示すことができる。
【図面の簡単な説明】
【００２４】
【図１】ガスタービンの燃焼ダクト組立体に対する一般的な構造を示す図である。
【図２】従来の燃焼ダクトに配設されるスクープを示す図である。
【図３】図２のスクープに流入する空気の流れを模式的に示す図である。
【図４】本発明の一実施形態による空気誘導キャップを示す斜視図である。
【図５】図４の空気誘導キャップに対する側断面図である。
【図６】空気誘導キャップの他の実施形態を示す斜視図である。
【図７】本発明の空気誘導キャップが燃焼ダクトであるスリーブに結合された状態を示す図である。
【発明を実施するための形態】
【００２５】
以下、添付図面に基づき、本発明の好適な実施形態について詳細に説明する。
本発明の実施形態について説明するに当たって、当業者であれば明らかに理解可能な公知の構成についての説明は、本発明の要旨を曖昧にしないために省略される。また、各図面の構成要素に参照符号を付するに当たって、同じ構成要素に対してはたとえ他の図面の上に表示されているとしてもできる限り同じ符号を付し、図面を参照するときには、図示の線の太さや構成要素の大きさなどが説明の明瞭性及び便宜性のために誇張されて示されているということを考慮しなければならない。
【００２６】
また、本発明の実施形態の構成要素について説明するに当たって、第１、第２、Ａ、Ｂ、（ａ）、（ｂ）などの用語が使用可能である。このような用語は、その構成要素を他の構成要素と区別するためのものに過ぎず、その用語により当該構成要素の本質や順番又は順序などが限定されることはない。ある構成要素が他の構成要素に「連結」、「結合」又は「接続」されると記載されている場合、その構成要素はその他の構成要素に直接的に連結若しくは接続されてもよいが、各構成要素の間にさらに他の構成要素が介在されながら間接的に「連結」、「結合」又は「接続」されてもよいと理解すべきである。
【００２７】
図３の（ａ）及び（ｂ）は、図２に示す従来のスクープ８を側面及び平面からそれぞれ眺めた図である。
【００２８】
図３から明らかなように、従来の１／４球状殻の形状であるスクープ８は、球面にぶつかった個々の空気の流れの反射角がその位置に応じて異なるため、その流れが重なり合い、一部は通孔７の外側に戻っていく場合もある。このような複雑な空気のぶつかりは、結果的に通孔７の入口領域に不規則的な乱流を形成し、このような乱流は、通孔７内に空気が円滑に流入できない邪魔として働く。また、通孔７の入口領域に形成された乱流は、後続する空気の流れまで妨げてしまい、これを解消するために圧縮空気の圧力を増加させると、空気の流速が大きくなるため、乱流の形成の尺度となるレイノルズ数を増やしてしまう悪影響として働く。
【００２９】
本発明は、このような従来の空気誘導手段であるスクープ８の構造的な問題を解消するために案出されたものであり、その詳細な構造については、本発明の一実施形態による空気誘導キャップ１０を示す図４及び図５に基づいて説明する。
【００３０】
本発明は、上述した従来のスクープ８の機能と同様に、燃焼ダクト、例えば、スリーブ４の表面を流れる空気の流れを底面側の通孔７に導くための空気誘導キャップ１０に関するものである。このため、空気誘導キャップ１０は、通孔７がその内部に位置するように囲繞する形状に配置及び結合される。
【００３１】
空気誘導キャップ１０は、水平面に対して上向きに傾斜した上面２０と、前記上面２０の縁部のうち空気が入り込む入口３２側の縁部を除く残りの縁部に沿って下方に延設された壁面３０と、を備える構造を有する。すなわち、入口３２側及び下面を除く残りの面が閉じている構造である。
【００３２】
空気誘導キャップ１０の長さ、すなわち、上面２０の長さは、水平面に対する上面２０の正射影内に底面側の通孔７が収容される大きさに形成されてもよい。換言すると、空気誘導キャップ１０内に通孔７の全体が納まってもよく、これは、従来の１／４球状殻の形状のスクープ８が通孔７の約半分のみを囲繞する構造とは相違する。
【００３３】
このような構造の空気誘導キャップ１０は、空気が流入する入口３２部が上向きに傾斜しているので、入口の断面積が増加して冷却空気の流量の確保が有利となる。
【００３４】
また、図５に模式的に示すように、上面２０が通孔７を向く方向に傾斜しているので、一旦空気誘導キャップ１０内に流入した空気の流れを通孔７を貫通する垂直方向に導き易い。
【００３５】
さらに、本発明の空気誘導キャップ１０は、その上面２０が通孔７を全て覆う程度に長く形成されているので、従来のスクープ８のように通孔７の入口領域において乱流が発生し難く、通孔７に向かって流線がずっと続いて流れる層流の形成を誘導することになる。
【００３６】
このため、上述したような本発明の空気誘導キャップ１０は、燃焼ダクトの表面を流れる空気が通孔７内に流入する安定的な空気の流れを形成するのに非常に適した構造である。
【００３７】
また、空気誘導キャップ１０の上面２０において、入口３２の反対側の背面３４縁部は、円弧面、例えば、半円をなしてもよい。これは、円形である通孔７の縁部に密着されるように壁面３０を形成することにより、入口３２の反対側の壁面３０にぶつかった空気が通孔７に向かって収束される方向に集まるようにするためである。
【００３８】
さらに、上面２０の入口３２側の縁部の両端から延びる前記壁面３０の縁部は、外側に向かって傾斜するように形成されてもよい。すなわち、図４の斜視図に示すように、空気誘導キャップ１０の空気の入口３２の両脇に僅かに開かれている開放面が形成されるようにする。
【００３９】
これは、図５に示すように、通孔７に流入する空気の分布は、主として通孔７の背面（空気流入方向の反対側の面）に偏っているため、空気入口３２の両脇に僅かな開放面を形成しても、一旦空気誘導キャップ１０内に導かれた空気が再び抜け出る虞はあまりなく、このため、空気誘導キャップ１０の長手方向に対して僅かに斜めに流れる空気を内部に受け入れるために入口３２の両脇を僅かに開いておくのが有利となる傾向にあるためである。
【００４０】
一方、本発明の実施形態によっては、壁面３０の入口３２の反対側の背面３４の縁部から下方に延設されて前記通孔７に嵌め込まれる突出部材４０をさらに備えていてもよく、このような実施形態は図６に示されている。
【００４１】
突出部材４０としてパイプ又はパイプの一部を切り欠いた部品を用いて空気誘導キャップ１０の入口３２の反対側の背面３４内に溶接などの方法を用いて結合するか、あるいは、プレス・折り曲げ加工などを用いて空気誘導キャップ１０及び突出部材４０を一体にしてもよい。
【００４２】
突出部材４０は、通孔７内に挿入される部分であり、空気誘導キャップ１０を通孔７に対して結合すると、外部には空気誘導キャップ１０の上面２０及び壁面３０のみが視認され、突出部材４０は内部に納まって外部には露出されない。特に、通孔７の内周面に密着されるように、突出部材４０は通孔７の直径に対応する外径を有することが好ましい。
【００４３】
このような突出部材４０は、２種類の機能を有する。
第一に、空気誘導キャップ１０に配設された突出部材４０を通孔７に嵌め込むことにより、通孔７に対する空気誘導キャップ１０の位置合わせ作業を誤差なしに正確に且つ手軽に行うことができる。一旦通孔７に突出部材４０を嵌め込むと、作業者は空気誘導キャップ１０の入口の方向のみを調整して溶接などを用いて固定すればよい。このような便利性は、多数の空気誘導キャップ１０を一々に燃焼ダクトの表面に取り付ける作業を行うに当たって、かなりの作業効率の向上をもたらす。
【００４４】
第二に、突出部材４０が通孔７に入り込む垂直方向の空気の流れを燃焼ダクトの奥側まで案内することができる。図１に示す燃焼ダクト組立体６を参照すると、スリーブ４の内側には僅かな間隔をあけて燃焼ガスが流れるライナー２及びトランジションピース３が配置されているが、スリーブ４を通過した空気は、この高温のライナー２及びトランジションピース３の表面を冷却させなければならない。このため、突出部材４０を用いてライナー２及びトランジションピース３の表面に近付くように空気を誘導又は噴出すると、その冷却効果がかなり向上する。
【００４５】
図７は、上述したような空気誘導キャップ１０が燃焼ダクトに配設された実施形態を示すものである。ここで、燃焼ダクトは、スリーブ４を対象としている。
【００４６】
スリーブ４の表面には圧縮空気が流れており、この空気を内側に流入させるための複数の通孔７が形成されている。上述した本発明の空気誘導キャップ１０は、一つずつそれぞれの通孔７を囲繞するように配置及び固定され、特に、空気誘導キャップ１０の入口３２は、空気の主な流動方向に合わせられるようにその方向が取られる必要がある。
【００４７】
スリーブ４の表面を流れる空気の流れは、ガスタービンが設計された形状及び配置などによりほとんど定められた方向に沿うことになる。このような空気の流れの方向に沿って複数の空気誘導キャップ１０が列をなしてもよく、図７に破線で括られた３つの空気誘導キャップ１０がこれに相当する一例として表示されている。
【００４８】
この場合、図７の「Ａ−Ａ」断面図に示すように、空気の流れの下流に進むにつれて列をなす各空気誘導キャップ１０の高さｈ、ｈ'、ｈ''は次第に大きくなることが好ましい。これは、上流側の空気誘導キャップ１０が下流側の空気誘導キャップ１０内に空気が流入することを妨げる虞があるということを考慮したものであり、このように空気の流れに沿って列をなす空気誘導キャップ１０の高さに漸進的な差等を設けることにより、燃焼ダクトの全体に亘って万遍なく均一な冷却効果を発現することができる。
【００４９】
ここで、図７は、突出部材４０のない図４の実施形態としての空気誘導キャップ１０を適用した例を示しているが、図６の突出部材４０まで備える空気誘導キャップ１０が同じ様相に適用可能であるということは通常の技術者であれば明らかに理解できる筈である。
【００５０】
以上、本発明の好適な実施形態が図示及び説明されているが、本発明が属する技術分野における通常の知識を有する当業者であれば、本発明の原則や精神から逸脱しない範囲内において本実施形態を変形することができるということが理解できる筈である。よって、本発明の権利範囲は請求項の記載内容及びその均等物によって定められる筈である。
【符号の説明】
【００５１】
１  燃焼機
２  ライナー
３  トランジションピース
４  スリーブ
５  スプリングシール
６  燃焼ダクト組立体
７  通孔
８  スクープ
１０  空気誘導キャップ
２０  上面
３０  壁面
３２  入口
３４  背面
４０  突出部材
ｈ、ｈ'、ｈ''  空気誘導キャップの高さ
【図１】
0006296469.tif 000002
【図２】
0006296469.tif 000003
【図３】
0006296469.tif 000004
【図４】
0006296469.tif 000005
【図５】
0006296469.tif 000006
【図６】
0006296469.tif 000007
【図７】
0006296469.tif 000008